(57)【要約】【課題】廃棄物収納容器を部品ごとに分けることが容易となって、廃棄物収納容器の大きさを部品ごとに小さくすることができ、製造時や搬送時、保管時において、廃棄物収納容器が置かれる空間の部品ごとの占有率を低減させることができると共に、廃棄物収納容器の部品から完成品までの組立て作業を容易にすることができる廃棄物収納容器を提供する。【解決手段】互いの接合部（接合部材３６）同士が接合されることにより円筒形状を構成する一対の半円筒部材２１，２２と、一対の半円筒部材２１，２２に固定される下部固定部材２４と、下部固定部材２４上に載置される下部円板部材２６と、下部円板部材２６の上方に配置される上部円板部材２８と、上部円板部材２８の上方に配置されると共に、一対の半円筒部材２１，２２に固定される上部固定部材３０とを備えた。【選択図】図１
0003159656.tif 000002
【実用新案登録請求の範囲】
【請求項１】
互いの接合部同士が接合されることにより円筒形状を構成する一対の半円筒部材と、
前記一対の半円筒部材に固定される下部固定部材と、
前記下部固定部材上に載置される下部円板部材と、
前記下部円板部材の上方に配置される上部円板部材と、
前記上部円板部材の上方に配置されると共に、前記一対の半円筒部材に固定される上部固定部材と
を備えたことを特徴とする廃棄物収納容器。
【請求項２】
前記一対の半円筒部材の下端部に形成された貫通孔に前記下部固定部材の端部がそれぞれ挿し込まれて、この下部固定部材が前記半円筒部材に固定されることを特徴とする請求項１に記載の廃棄物収納容器。
【請求項３】
前記一対の半円筒部材の上端部に形成された貫通孔に前記上部固定部材の端部がそれぞれ挿し込まれて、この上部固定部材が前記半円筒部材に固定されることを特徴とする請求項１又は２に記載の廃棄物収納容器。
【請求項４】
前記下部固定部材は、下側に突出する突起部を有することを特徴とする請求項１ないし３のいずれかに記載の廃棄物収納容器。
【請求項５】
前記一対の半円筒部材の接合部同士の接合は、ボルトとナットによるネジ結合であることを特徴とする請求項１ないし４のいずれかに記載の廃棄物収納容器。
【請求項６】
前記一対の半円筒部材の接合部同士の接合は、リベット結合であることを特徴とする請求項１ないし４のいずれかに記載の廃棄物収納容器。
【請求項７】
前記一対の半円筒部材は、その四方に外周から径方向に突出する突起部を有することを特徴とする請求項１ないし６のいずれかに記載の廃棄物収納容器。
【考案の詳細な説明】
【技術分野】
【０００１】
本考案は、例えば、放射性廃棄物の固化処理に用いるような廃棄物収納容器に関するものである。
【背景技術】
【０００２】
原子力発電所などの原子力関連施設においては、そこで発生する固体の放射性廃棄物から放射線が洩れ出して外気中に拡散したり、放射線を発生する放射性物質自体が外気中に露出したりして環境を汚染するのを防止する必要がある。
【０００３】
このようなことを防止するための手段として、従来は、ドラム缶内に、固体の放射性廃棄物を収納した後に、ドラム缶内にモルタルを充填することにより、固体の放射性廃棄物をモルタル中に封じ込めて、一緒に固化させることが行われている。
【０００４】
また、放射性廃棄物を収納したドラム缶に破損や腐食が生じた場合においても、放射性廃棄物から放射線が洩れ出したり、放射性物質自体が外気中に露出したりして環境を汚染するのを防止するために、ドラム缶の内周面の内側に一定の厚さを有する、放射性廃棄物が存在しないモルタルのみで形成された内張り層を形成したものを用いることが行われている（例えば、特許文献１参照）。
【０００５】
このような内張り層をドラム缶の内周面の内側に形成するには、後述するように、放射性廃棄物をドラム缶の内部の中央に集中して配置させることが必要である。
【０００６】
図７及び図８は、従来の廃棄物収納容器２を説明するために参照する図である。この従来の廃棄物収納容器２は、図７（ｂ）に示すように、底板部４ａが胴体部４ｂの下端部に予め溶接により一体的に接合された円筒状の収納部材４と、この収納部材４の開口部（図７（ｂ）中上端部）を覆うように配置された蓋部材６により構成されていた。
【０００７】
そして、収納部材４と蓋部材６は、収納部材４の内部に固体の放射性廃棄物８が収納された後に、ボルト１０とナット１２によるネジ結合により、互いに固定されるようになっていた。
【０００８】
この収納部材４は、その底板部４ａの底面４ｃと、その胴体部４ｂの円周面４ｄに、金網が張り巡らされていた。また、図７（ａ）に示すように、蓋部材６の上面６ａにも金網が張り巡らされていた。
【０００９】
このため、廃棄物収納容器２の略全周面に金網が張り巡らされており、廃棄物収納容器２の略全周面に複数の網目（隙間）を有していた。
【００１０】
また、収納部材４は、図７（ａ）に示すように、その胴体部４ｂの円周方向に等間隔をおいて、同一水平面内の、四箇所に、円周面４ｄから径方向外側に突出する突起部４ｅが設けられ、またこのような四箇所の突起部４ｅが、胴体部４ｂの上下方向の２箇所の位置に１組ずつ、計２組設けられていた。
【００１１】
このような廃棄物収納容器２は、図８に示すように、ドラム缶１４の内部に収納されるようになっている。このようにドラム缶１４の内部に廃棄物収納容器２が収納される際には、廃棄物収納容器２の収納部材４の底板がドラム缶１４の底板から少し浮き上がって離れるように、先に少しだけモルタル１６を流し込んで固まらせておく。
【００１２】
それから、ドラム缶１４の内部に廃棄物収納容器２を配置する際に、廃棄物収納容器２の収納部材４の円周方向の四箇所に突出する、上下２組の、計８つの突起部４ｅは、ガイドとしての機能を発揮し、廃棄物収納容器２の位置決めに寄与するため、廃棄物収納容器２はドラム缶１４内の中央部に配置されるようになっていた。
【００１３】
このとき、廃棄物収納容器２は、その内側の面が、ドラム缶１４の内面から約１０ｍｍ以上離れて配置されるようになっていた。
【００１４】
このため、廃棄物収納容器２内に収納された放射性廃棄物８もまた、ドラム缶１４内の中央部に集中して配置されるようになっていた。
【００１５】
そして、図８に示すように配置された、廃棄物収納容器２の内部に、蓋部材６の複数の網目を通して、モルタル１６を流し込ませることにより、放射性廃棄物８が収納された廃棄物収納容器２の内側にモルタル１６が充填されていた。
【００１６】
また、廃棄物収納容器２の収納部材４の全面に有する複数の網目を通して、モルタル１６は収納部材４の外側に流れ出すことにより、図８に示すように、上記収納部材４の外周部と、ドラム缶１４の内周面との間の隙間にもモルタル１６は充填されるため、ドラム缶１４内の廃棄物収納容器２の外側に、モルタル１６のみで形成された内張り層１６ａが形成されていた。
【００１７】
このため、前記従来の廃棄物収納容器２においては、放射性廃棄物８はドラム缶１４内の中央部に配置され、その周囲を囲むモルタル１６と一緒に固化されるため、放射性廃棄物８からの放射性物質の拡散を長期間確実に防止することができるようになっていた。
【先行技術文献】
【特許文献】
【００１８】
【特許文献１】特開平５−２０９８号公報
【考案の概要】
【考案が解決しようとする課題】
【００１９】
しかしながら、前記従来の廃棄物収納容器２においては、収納部材４の底板部４ａと胴体部４ｂが予め溶接により一体的に接合されるようになっているため、一体的に接合後の収納部材４が大きくなって場所をとるという問題があり、また、一旦溶接により接合されると、容易には解体できないので、その大きさを小さくすることができなくなってしまうという問題があった。
【００２０】
このため、廃棄物収納容器２の製造元や使用先においては、このような一体的に接合後の体積が大きい収納部材４を置くための空間を確保しなければならず、製造元や使用先の敷地内の空間を有効に利用することができないという問題があった。
【００２１】
また、廃棄物収納容器２を製造元から使用先に搬送する際には、一体的に接合後の収納部材４は体積が大きいため、一度に数多く運ぶことができないという問題があった。
【００２２】
また、前記従来の廃棄物収納容器２は、放射性廃棄物８を収納する際に、収納部材４と蓋部材６をネジ結合することを必要とするため、そのネジ結合作業には労力と時間がかかるという問題もあった。
【００２３】
そこで本考案は、上記問題点に鑑みて、廃棄物収納容器を部品ごとに分けることが容易となって、廃棄物収納容器の大きさを部品ごとに小さくすることができ、製造時や搬送時、保管時において、廃棄物収納容器が置かれる空間の部品ごとの占有率を低減させることができると共に、廃棄物収納容器の部品から完成品までの組立て作業を容易にすることができる廃棄物収納容器を提供することを課題とするものである。
【課題を解決するための手段】
【００２４】
上記課題を解決するために、本考案による廃棄物収納容器は、
互いの接合部同士が接合されることにより円筒形状を構成する一対の半円筒部材と、
前記一対の半円筒部材に固定される下部固定部材と、
前記下部固定部材上に載置される下部円板部材と、
前記下部円板部材の上方に配置される上部円板部材と、
前記上部円板部材の上方に配置されると共に、前記一対の半円筒部材に固定される上部固定部材と
を備えたことを特徴とするものである。
【００２５】
また、本考案による廃棄物収納容器は、
前記一対の半円筒部材の下端部に形成された貫通孔に前記下部固定部材の端部がそれぞれ挿し込まれて、この下部固定部材が前記半円筒部材に固定されることを特徴とするものである。
【００２６】
また、本考案による廃棄物収納容器は、
前記一対の半円筒部材の上端部に形成された貫通孔に前記上部固定部材の端部がそれぞれ挿し込まれて、この上部固定部材が前記半円筒部材に固定されることを特徴とするものである。
【００２７】
また、本考案による廃棄物収納容器は、
前記下部固定部材は、下側に突出する突起部を有することを特徴とするものである。
【００２８】
また、本考案による廃棄物収納容器は、
前記一対の半円筒部材の接合部同士の接合は、ボルトとナットによるネジ結合であることを特徴とするものである。
【００２９】
また、本考案による廃棄物収納容器は、
前記一対の半円筒部材の接合部同士の接合は、リベット結合であることを特徴とするものである。
【００３０】
また、本考案による廃棄物収納容器は、
前記一対の半円筒部材は、その四方に外周から径方向に突出する突起部を有することを特徴とするものである。
【考案の効果】
【００３１】
このような本考案の廃棄物収納容器によれば、
互いの接合部同士が接合されることにより円筒形状を構成する一対の半円筒部材と、
前記一対の半円筒部材に固定される下部固定部材と、
前記下部固定部材上に載置される下部円板部材と、
前記下部円板部材の上方に配置される上部円板部材と、
前記上部円板部材の上方に配置されると共に、前記一対の半円筒部材に固定される上部固定部材とを備えたことにより、
廃棄物収納容器を部品ごとに分けることが容易となって、廃棄物収納容器の大きさを部品ごとに小さくすることができ、製造時や搬送時、保管時において、廃棄物収納容器が置かれる空間の部品ごとの占有率を低減させることができると共に、廃棄物収納容器の部品から完成品までの組立て作業を容易にすることができる。
【図面の簡単な説明】
【００３２】
【図１】本考案の一実施の形態に係る廃棄物収納容器２０の斜視図である。
【図２】図１に示す廃棄物収納容器２０の下面図である。
【図３】図１に示す廃棄物収納容器２０の半円筒部材２１，２２の上面図である。
【図４】図３に示す半円筒部材２１，２２の正面図である。
【図５】図１に示す廃棄物収納容器２０の下部固定部材２４を示す図であり、図５（ａ）はその上面図、図５（ｂ）はその側面図である。
【図６】図１に示す廃棄物収納容器２０の上部固定部材３０の上面図である。
【図７】従来の廃棄物収納容器２を示す図であり、図７（ａ）はその上面図、図７（ｂ）はその側面図である。
【図８】従来の廃棄物収納容器２が内部に配置されるドラム缶１４を示す側面断面図である。
【考案を実施するための形態】
【００３３】
以下、本考案に係る廃棄物収納容器の実施の形態について、図面に基づいて具体的に説明する。
【００３４】
図１ないし図６は、本考案の一実施の形態に係る廃棄物収納容器２０について説明するために参照する図である。これらの図に示す廃棄物収納容器２０は、前記従来の廃棄物収納容器２と同様の部分には同じ符号を付して説明し、従来と同様の構成についての重複する説明は一部を除き省略するものとする。
【００３５】
本考案の一実施の形態に係る廃棄物収納容器２０は、図１及び図２に示すように、互いの接合部同士が接合されることにより円筒形状を構成する一対の半円筒部材２１，２２と、下部固定部材２４と、下部円板部材２６と、上部円板部材２８と、上部固定部材３０とにより構成されている。
【００３６】
この廃棄物収納容器２０の半円筒部材２１と２２は、互いに同一の形状を有しており、図３及び図４に示すように、水平断面が円筒状のものを円周方向において２枚に分割したような半円筒状に形成されている。
【００３７】
そして、半円筒部材２１，２２は、それらの上端部の半円環部材３２と、それらの下端部の半円環部材３４と、接合部材３６（接合部、突起部）と、縦桟部材３８と、多数の開口を有する胴体部材４０とにより一体的に構成されている。
【００３８】
すなわち、半円筒部材２１，２２それぞれの上端部に設けられた半円環部材３２は、図３に示すように、その水平断面が円環状のものを円周方向において２枚に分割したような円弧状に形成されており、厚さを有する帯板状に形成されている。
【００３９】
また、図４に示すように、半円筒部材２１，２２の上端部に設けられた半円環部材３２は、図中上下方向のその幅方向の略上半分の領域に、図３に示すその外周面３２ａから内周面３２ｂにわたって貫通する長孔３２ｃ（貫通孔）が形成されている。そしてこの長孔３２ｃは、半円環部材３２の円周方向（図中左右方向）と同一方向にその長さを有して、円周方向の４箇所に並んで形成されている。
【００４０】
この半円環部材３２の長孔３２ｃは、半円筒部材２１，２２の上端部と上部固定部材３０との固定に用いられる。
【００４１】
そして、半円筒部材２１，２２のそれぞれの下端部に設けられた半円環部材３４は、図３に示すように、半円環部材３２と同様の、その水平断面が円環状のものを円周方向において２枚に分割したような円弧状に形成されており、厚さを有する帯板状に形成されている。
【００４２】
そして、図４に示すように、半円環部材３４は、上記半円筒部材２１，２２の上端部に設けられた半円環部材３２とは、それらの軸線方向（図中上下方向）に互いに離れて、互いに平行に配置されている。
【００４３】
この半円環部材３４は、図４に示すように、図中上下方向の幅方向の中央部に、図３に示すその外周面３４ａから内周面３４ｂにわたって貫通する、その長さ方向が半円環部材３４の円周方向（図中左右方向）と同一方向の長孔３４ｃ（貫通孔）が、円周方向の４箇所に並んで形成されている。
【００４４】
この半円環部材３４の長孔３４ｃは、半円筒部材２１，２２の下端部と下部固定部材２４との固定に用いられる。
【００４５】
また、この半円環部材３４は、図４に示すように、その幅方向の長孔３４ｃが形成されている位置より図中下方に、図３に示すその外周面３４ａから内周面３４ｂにわたって貫通する、円形状の貫通孔３４ｄが、円周方向の４箇所に並んで形成されている。この半円環部材３４の貫通孔３４ｄは、モルタル１６が通り抜けることを可能にするために形成されている。
【００４６】
そして、半円筒部材２１，２２同士を接合する接合部材３６は、図３に示すように、その長さ方向（図紙面に対して垂直方向）とは垂直な幅方向（図紙面に対して平行方向）の断面が、互いに略直角に折れ曲がった二辺からなるＬ字状に形成されて、その二辺のうちの半円筒部材２１，２２の径方向に伸びる、一方の辺に相当する突起部３６ａを有する。
【００４７】
この接合部材３６は、図３に示すように、半円筒部材２１，２２それぞれの、両端部それぞれに１つずつ設けられ、図４に示すように、半円筒部材２１，２２の長さ方向に沿って配置されている。そして、断面において互いに略直角に折れ曲がった二辺からなるＬ字状の、その二辺のうちの、上記一方の辺に相当する突起部３６ａから略直角に折れ曲がった、他方の辺に相当する辺部材３６ｃが、半円環部材３２及び３４それぞれの円弧両端部（図中上端部）に取り付けられるように配置されている。
【００４８】
そして、接合部材３６は、図４に示すように、その上端部が、突起部３６ａから略直角に折れ曲がった辺部材３６ｃが、半円環部材３２の外周面３２ａの端部に接触し、半円環部材３２の内周面３２ｂ側から挿通するリベット４２により、半円環部材３２の外周面３２ａに固定されている。
【００４９】
また、接合部材３６は、その下端部が、突起部３６ａから略直角に折れ曲がった辺部材３６ｃが、半円環部材３４の外周面３４ａの端部に接触し、半円環部材３４の内周面３４ｂ側から挿通するリベット４２により、半円環部材３４の外周面３４ａに固定されている。
【００５０】
そして、この接合部材３６は、図４に示すように、突起部３６ａの長さ方向（図中上下方向）の両端部に向かって、突起量が少なくなるよう先細りに傾斜する傾斜面３６ｄが形成されている。
【００５１】
また、この接合部材３６は、図４に示すように、その側面３６ｂにボルト４４（図２参照）が緩く貫通する貫通孔３６ｅが、その長さ方向に間隔をおいて３箇所に並んで形成されている。この接合部材３６の貫通孔３６ｅは、半円筒部材２１と２２の接合に用いられる。
【００５２】
そして、半円筒部材２１，２２の縦桟部材３８は、図３に示すように、その長さ方向（図紙面に対して垂直方向）とは垂直な幅方向（図紙面に対して平行方向）の断面が、互いに略直角に折れ曲がった二辺からなるＬ字状に形成されて、その二辺のうちの半円筒部材２１，２２の径方向に伸びる、一方の辺に相当する突起部３８ａを有する。
【００５３】
この縦桟部材３８は、図４に示すように、その長さ方向が接合部材３６の長さ方向（図中上下方向）と平行になるように配置されている。
【００５４】
そして、縦桟部材３８は、図３，４に示すように、その上端部における、断面の突起部３８ａから略直角に折れ曲がった、他方の辺に相当する辺部材３８ｂが、半円環部材３２の外周面３２ａの円弧中央部に接触し、半円環部材３２の内周面３２ｂ側から挿通するリベット４２により、半円環部材３２に固定されている。
【００５５】
また、縦桟部材３８は、その下端部における、断面の突起部３８ａから略直角に折れ曲がった、他方の辺に相当する辺部材３８ｂが、半円環部材３４の外周面３４ａの円弧中央部に接触し、半円環部材３４の内周面３４ｂ側から挿通するリベット４２により、半円環部材３４に固定されている。
【００５６】
そして、この縦桟部材３８は、接合部材３６と同様に、図１，図４に示すように、突起部３８ａの長さ方向（図中上下方向）の両端部に向かって、突起量が少なくなるよう先細りに傾斜する傾斜面３８ｃが形成されている。
【００５７】
そして、半円筒部材２１，２２の胴体部材４０は、図３に示すように、その水平断面が円環状のものを円周方向において２枚に分割したような円弧状に形成されており、厚さを有する板状に形成されており、その外周面４０ａから内周面４０ｂにわたってその厚さを貫通する、多数の貫通孔４０ｃが形成されている。
【００５８】
この胴体部材４０の多数の貫通孔４０ｃは、その孔径寸法が１５ｍｍ以下の、モルタル１６がその充填時に通り易い大きさに形成され、放射線を発生する放射性物質が含まれた放射性廃棄物８や、放射性廃棄物８に形成された突起等が、胴体部材４０の内側から外側に出っ張ることがない程度の大きさに形成されている。
【００５９】
そして、胴体部材４０は、図４に示すように、その外周面４０ａが、半円環部材３２の内周面３２ｂ（図３参照）の高さ方向下端部と、半円環部材３４の内周面３４ｂ（図３参照）の高さ方向上端部との間に貼り付けられ、図３に示すように、その内周面４０ｂ側からそれらに挿通するリベット４２により、半円環部材３２と、半円環部材３４に固定されている。
【００６０】
このような半円環部材３２、半円環部材３４、接合部材３６、縦桟部材３８及び胴体部材４０により予め一体的に構成されている一対の半円筒部材２１，２２は、図２に示すように、互いの接合部材３６の側面３６ｂがそれぞれ向かい合い接触して、互いの接合部材３６の貫通孔３６ｅを、ボルト４４が挿通しナット４６により締結するネジ結合により一体的に接合されることにより、円筒形状に構成されるようになっている。
【００６１】
そして、廃棄物収納容器２０の下部固定部材２４は、図５（ａ）及び（ｂ）に示すように、その長さ方向とは垂直方向に幅方向を有する二つの突起部２４ａが形成され、この二つの突起部２４ａは下部固定部材２４の上面２４ｂから略直角に折れ曲がるように形成されている。
【００６２】
この下部固定部材２４は、図５（ａ）に示すように、その上面２４ｂの長さ方向の両端部それぞれに、その長さ方向の中央の幅寸法よりも、その幅寸法が小さい係合部２４ｃが形成されている。
【００６３】
係合部２４ｃの一方が、半円筒部材２１の長孔３４ｃに挿し込まれ、係合部２４ｃの他方が、半円筒部材２２の長孔３４ｃに挿し込まれることにより、下部固定部材２４は、図２に示すように、半円筒部材２１，２２に固定される。
【００６４】
図２に示すように、半円筒部材２１，２２の長孔３４ｃに挿し込まれて固定される下部固定部材２４は４つあり、それぞれの二つの突起部２４ａが下側（図中手前側）に折り曲げられるように配置され、それぞれの長さ方向の二つの突起部２４ａが形成されていない中央部において互いに重ね合わされる。
【００６５】
また、下部固定部材２４の二つの突起部２４ａは、下部固定部材２４の両端部が半円筒部材２１，２２の長孔３４ｃに挿し込まれたときに、半円筒部材２１，２２の下面から外側に突出することがないような寸法に形成されている。また、この下部固定部材２４の二つの突起部２４ａは、廃棄物収納容器２０内にモルタル１６が充填されて固化した後に、突起部２４ａ近傍のモルタル１６を補強するようになっている。
【００６６】
そして、廃棄物収納容器２０の下部円板部材２６は、図１に示すように、その表面に多数の円形の、板厚方向に貫通する貫通孔２６ａが開口する、円板状に形成されている。
【００６７】
この下部円板部材２６の多数の貫通孔２６ａは、その孔径寸法が１５ｍｍ以下の、モルタル１６がその充填時に通り易い大きさに形成され、放射性廃棄物８や放射性廃棄物８に形成された突起等が、その貫通孔２６ａの内側から外側に出っ張ることがない程度の大きさに形成されている。
【００６８】
この下部円板部材２６は、半円筒部材２１，２２の半円環部材３４の長孔３４ｃに、下部固定部材２４の両端部の係合部２４ｃが挿し込まれて固定された、その下部固定部材２４上に載置される。
【００６９】
そして、図１に示すように、廃棄物収納容器２０の上部円板部材２８は、その表面に多数の円形の、板厚方向に貫通する貫通孔２８ａが開口する、円板状に形成されている。
【００７０】
この上部円板部材２８の多数の貫通孔２８ａは、その孔径寸法が１５ｍｍ以下の、モルタル１６がその充填時に通り易い大きさに形成され、放射性廃棄物８や放射性廃棄物８に形成された突起等が、その貫通孔２８ａの内側から外側に出っ張ることがない程度の大きさに形成されている。
【００７１】
この上部円板部材２８は、前記下部固定部材２６の上で、かつ胴体部材４０の内側に配置される、放射性廃棄物８の上に載置されている。
【００７２】
そして、廃棄物収納容器２０の上部固定部材３０は、図６に示すように、その長さ方向の両端部それぞれに、その長さ方向の中央の幅寸法よりも、その幅寸法が小さい係合部３０ａが形成された、帯板状に形成されている。
【００７３】
上部固定部材３０の両端部の係合部３０ａの一方が、半円筒部材２１の半円環部材３２の長孔３２ｃに挿し込まれ、係合部３０ａの他方が、半円筒部材２２の半円環部材３２の長孔３２ｃに挿し込まれることにより、上部固定部材３０は、半円筒部材２１，２２に固定される。このとき、上部固定部材３０は上部円板部材２８の上方に配置される。
【００７４】
次に、廃棄物収納容器２０の一対の半円筒部材２１，２２と、下部固定部材２４と、下部円板部材２６と、上部円板部材２８と、上部固定部材３０の組立作業の手順について説明する。
【００７５】
まず、図２に示すように、４つの下部固定部材２４を、それぞれの突起部２４ａが下側（図中手前側）になるように配置して、それぞれの長さ方向の中央部において重ね合わせる。
【００７６】
４つの下部固定部材２４は、それぞれの一端部の係合部２４ｃが、半円筒部材２１の半円環部材３４の内周面３４ｂ側から、その半円環部材３４の長孔３４ｃに挿し込まれ、それぞれの他端部の係合部２４ｃが、半円筒部材２２の半円環部材３４の内周面３４ｂ側から、その半円環部材３４の長孔３４ｃに挿し込まれる。
【００７７】
図２に示すように、半円筒部材２１側の二つの接合部材３６それぞれの側面３６ｂと、半円筒部材２２側の二つの接合部材３６それぞれの側面３６ｂとを、互いに向かい合わせて接触させる。
【００７８】
そして、半円筒部材２１側の貫通孔３６ｅと、半円筒部材２２側の貫通孔３６ｅとにボルト４４のオネジ部を挿通させ、そのオネジ部の貫通孔３６ｅから突き抜けた先端部にナット４６を締め付けてネジ結合することにより、半円筒部材２１と半円筒部材２２が一体的に接合される。
【００７９】
このようにして、半円筒部材２１と２２が一体的に接合されることにより、その２つの部材２１，２２が共に円筒形状を構成するようになっている。そして、半円筒部材２１と２２が一体的に接合されることにより、４つの下部固定部材２４は、半円筒部材２１と２２の両方に固定される。
【００８０】
次に、図２に示すように、一対の半円筒部材２１，２２により構成された円筒形状を、その上側の開口部（図中紙面奥側）が上方を向くように配置して、その開口部から下部円板部材２６を入れ、上記固定された４つの下部固定部材２４の上面２４ｂの上に、その下部円板部材２６を載置させる。
【００８１】
このような一対の半円筒部材２１，２２と、下部固定部材２４と、下部円板部材２６の組立てにより、底板を有する円筒形状を構成することができる。このため、廃棄物収納容器２０の、部品の組立て作業を容易にすることができる。
【００８２】
この底板を有する円筒形状は、従来と同様のドラム缶１４（図８参照）内に入れられる。このとき、ドラム缶１４の底部には、予めモルタルを流し込んで、所定の高さになるようにモルタル１６（図８参照）を固まらせておいてもよい。
【００８３】
また、上記底板を有する円筒形状を構成する半円筒部材２１，２２は、図１に示すように、その円筒形状の四方に、胴体部材４０の外周面からその円筒形状の径方向外側に突出する突起部３６ａ，３８ａが形成されているために、胴体部材４０を、ドラム缶１４内部の水平中央部に配置することができる。
【００８４】
また、半円筒部材２１，２２の突起部３６ａ，３８ａには傾斜面３６ｄ，３８ｃ（図４参照）が形成されていて、これらの傾斜面３６ｄ，３８ｃが、上記底板を有する円筒形状をドラム缶１４内に入れる際にガイドとしての機能を発揮することにより、ドラム缶１４内に底板を有する円筒形状を容易に配置することができる。
【００８５】
次に、胴体部材４０の内側であり、かつ下部円板部材２６の上側に、放射性廃棄物８を収納する。そして、胴体部材４０内に放射性廃棄物８が満杯に収納された後に、胴体部材４０の上側の開口部から、上部円板部材２８を入れ、放射性廃棄物８の上に載置させる。
【００８６】
そして、図１に示すように、４つの上部固定部材３０は、それぞれの長さ方向の中央部において重ね合わされて、それぞれの一端部の係合部３０ａが、半円筒部材２１の内周面３２ｂ側から、半円筒部材２１の長孔３２ｃに挿し込まれ、それぞれの他端部の係合部３０ａが、半円筒部材２２の内周面３２ｂ側から、半円筒部材２２の長孔３２ｃに挿し込まれ、固定される。このようにして廃棄物収納容器２０が完成する。
【００８７】
このような上部円板部材２８と上部固定部材３０により、前記従来の廃棄物収納容器２のように蓋を閉じる際にネジ結合をすることなく、廃棄物収納容器２０の上部を塞ぐことができるため、部品の組立て作業を容易にすることができる。
【００８８】
このような組立作業の手順により、廃棄物収納容器２０を組み立てることができるため、廃棄物収納容器２０の部品から完成品までの組立て作業を容易にすることができる。
【００８９】
また、廃棄物収納容器２０は、半円筒部材２１，２２、下部固定部材２４、下部円板部材２６、上部円板部材２８及び上部固定部材３０の各部品に分けることが容易となっているため、廃棄物収納容器２０の大きさを各部品ごとに小さくすることができ、製造時や搬送時、保管時において、廃棄物収納容器２０が置かれる空間の各部品ごとの占有率を低減させることができる。
【００９０】
そして、この廃棄物収納容器２０は、半円筒部材２１，２２の貫通孔３４ｄ，４０ａと、下部円板部材２６の貫通孔２６ａと、上部円板部材２８の貫通孔２８ａとを有しているために、それらの貫通孔を通して、廃棄物収納容器２０の内外にモルタル１６を充填させることができる。
【００９１】
また、この廃棄物収納容器２０は、下部固定部材２４の突起部２４ａと、半円筒部材２１，２２の突起部３６ａ，３８ａとを有しているために、放射性廃棄物８をドラム缶１４内の中央に配置することができる。また、ドラム缶１４内の廃棄物収納容器２０の外側に、モルタル１６のみで形成された内張り層１６を形成することもできる。
【００９２】
このような本考案の一実施の形態に係る廃棄物収納容器２０によれば、廃棄物収納容器２０を部品ごとに分けることが容易となって、廃棄物収納容器２０の大きさを部品ごとに小さくすることができ、製造時や搬送時、保管時において、廃棄物収納容器２０が置かれる空間の部品ごとの占有率を低減させることができると共に、廃棄物収納容器２０の部品から完成品までの組立て作業を容易にすることができる。
【００９３】
なお、前記一実施の形態に係る廃棄物収納容器２０においては、一対の半円筒部材２１，２２は、ボルト４４とナット４６によるネジ結合により互いに一体的に接合されるようになっていたが、リベットにより互いに一体的に接合されるようになっていてもよい。
【００９４】
また、前記一実施の形態に係る廃棄物収納容器２０においては、廃棄物収納容器２０の内部に放射線を発生する放射性物質が含まれた放射性廃棄物８を収納するようになっていたが、廃棄物収納容器２０の内部に放射線を発生する放射性物質が含まれない廃棄物を収納するようになっていてもよい。
【符号の説明】
【００９５】
２  廃棄物収納容器
４  収納部材
４ａ  底板部
４ｂ  胴体部
４ｃ  底面
４ｄ  円周面
４ｅ  突起部
６  蓋部材
６ａ  上面
８  放射性廃棄物
１０  ボルト
１２  ナット
１４  ドラム缶
１６  モルタル
１６ａ  内張り層
２０  廃棄物収納容器
２１  半円筒部材
２２  半円筒部材
２４  下部固定部材
２４ａ  突起部
２４ｂ  上面
２４ｃ  係合部
２６  下部円板部材
２６ａ  貫通孔
２８  上部円板部材
２８ａ  貫通孔
３０  上部固定部材
３０ａ  係合部
３２  半円環部材
３２ａ  外周面
３２ｂ  内周面
３２ｃ  長孔
３４  半円環部材
３４ａ  外周面
３４ｄ  内周面
３４ｃ  長孔
３４ｂ  貫通孔
３６  接合部材
３６ａ  突起部
３６ｂ  側面
３６ｃ  辺部材
３６ｄ  傾斜面
３６ｅ  貫通孔
３８  縦桟部材
３８ａ  突起部
３８ｂ  辺部材
３８ｃ  傾斜面
４０  胴体部材
４０ａ  外周面
４０ｂ  内周面
４０ｃ  貫通孔
４２  リベット
４４  ボルト
４６  ナット
【図１】
0003159656.tif 000003
【図２】
0003159656.tif 000004
【図３】
0003159656.tif 000005
【図４】
0003159656.tif 000006
【図５】
0003159656.tif 000007
【図６】
0003159656.tif 000008
【図７】
0003159656.tif 000009
【図８】
0003159656.tif 000010